Podtech/llm-jp-corpus-v4-ja_patent huggingface dataset:
(57)【要約】      （修正有）【課題】靴下が足先に届かない不自由な人が、他人の介添えを頼まず自力で履くことが出来る靴下履き補助具を提供する。【解決手段】受け側棒１と押え側棒２の２本の棒状の中間部をヒンジで交差させた鋏形状とし、各棒の先端は、グリップ部３を握ると受け側棒１の長丸リング状先端部４と押え側棒２の弓状先端部５が嵌り合って圧着する圧着部Ｂとし、それが一体で構成されたアタッチメントＡを２本用いて１セットとする。両手で２本の鋏形状アタッチメントＡのグリップ部を持ち、各先端の圧着部Ｂで靴下の挿入口の左右の淵を軽く挟みながら足幅まで広げ、足の先を挿入した後そのまま膝の方向へ移動させ踵部を通過させながら引き上げれば一回の引き上げ動作で靴下を完全に履くことが出来る。【選択図】図１
0003202786.tif 000002
【実用新案登録請求の範囲】
【請求項１】
本体は受け側棒１と押え側棒２の２本の棒状の中間部をヒンジで交差させた鋏形状とし各棒の先端は、グリップ部３を握ると受け側棒１の長丸リング状先端部４と押え側棒２の弓状先端部５が嵌り合って圧着する圧着部Ｂとし、それが一体で構成されたアタッチメントＡを２本用いて１セットとする両手用靴下履き補助具。
【請求項２】
請求項１の受け側棒１の長丸リング状先端部４は丸リング４ａと長丸リング４ｂが一体構造で、丸リング４ａの外径は長丸リング４ｂの短径より大きい構造である。
【考案の詳細な説明】
【技術分野】
【０００１】  本考案は靴下や下着等を履く動作を補助する道具に関する考案である。
【背景技術】
【０００２】  靴下を履くとき、靴下の挿入口が足先に届かない不自由な人は他の人に介添えを頼んだり、公知商品の補助具等を使用して靴下の着脱を行っている。
公知商品としては片手用の特許文献１や両手用の特許文献２等の補助具が知られているが文献１はリングに靴下を装着するのに手間が掛かるのとリングが踵部を通過させにくい難点がある、文献２は足先に靴下を挿入することが主目的で最後まで完全に履くには二次的な動作が必要となる、又靴下を脱ぐ場合の工夫が見られない。
【先行技術文献】
【特許文献】
【０００３】
【特許文献１】特開２０１４−０６１１４１
【特許文献２】特開２００６−１０２４４３
【考案の概要】
【考案が解決しようとする課題】
【０００４】  本考案は軽度の障害が有り自力で靴下や下着を履くことが困難な人が、他人の介添えを必要とせず、あくまでも自身で補助具を使い靴下等の着脱を行うことを目的とし、社会生活の自立を目指す。
【課題を解決するための手段】
【０００５】  課題を解決するために本体の受け側棒１と押え側棒２の２本の棒状の中間部をヒンジで交差させた鋏形状とし、各棒の先端はグリップ部３を握ると受け側棒１の長丸リング状先端部４と押え側棒２の弓場先端部５が嵌り合って圧着する圧着部Ｂとし、それが一体で構成されたアタッチメントＡを２本用いて１セットとする両手用靴下履き補助具とする。【０００６】  請求項１の受け側棒１の長丸リング状先端部４は丸リング４ａと長丸リング４ｂが一体構造で、丸リング４ａの外径は長丸リング４ｂの短径より大きい構造である。
【考案の効果】
【０００７】  この補助具は日常生活を送る上で両手の機能は健常であるが、腰を深く折り曲げたり足を引き寄せる動作に軽度の障害がある人が他人の介添えを頼まず、両手でアタッチメントＡの長さを利用して靴下の脱ぎ履き動作と、下着及びズボン等の下半身用着衣の着脱等の身繕いが自力で行える。
【図面の簡単な説明】
【０００８】
【図１】補助具全体の平面図
【図２】アタッチメントＡ先端の圧着部の拡大正面図
【図３】アタッチメントＡ先端の圧着部の拡大平面図
【図４】足の挿入時の拡大斜視図
【図５】下着を履く場合の側面図
【考案を実施するための形態】
【０００９】  本考案の実施の形態を添付図面の図１から図５に基づいて説明する。
【実施例１】
【００１０】  ここで図１の示すアタッチメントＡとはグリップから先端部分を含めた鋏形状の全体のことを言い、圧着部Ｂとは受け側棒の先端部４と押え側棒の弓状先端部５が接触する範囲を言う、このアタッチメントＡを２本連結ロープ６で繋いで１セットとして使用する。
使用法は椅子または床上に腰を下ろして、両手に一本ずつアタッチメントＡのグリップ部３を握り、図２で示す先端の圧着部Ｂで靴下８の挿入口の左右を軽く圧着する、この時受け側棒の先端部４を構成している丸リング４ａの中央に挿入口の淵を掛けると丸リングの直径分が靴下挿入口の開口高さとなり足先を挿入しやすくなる、両手に持ったアタッチメントＡを足先に向け、圧着部Ｂで広げた挿入口に足先を入れて左右のアタッチメントＡを握ったまま交互に引き上げれば、図３の圧着部Ｂの凹凸形状に挟まれた靴下生地が抵抗となり靴下８の先に足先が届くまで引き上げることが出来る。
グリップ部３を緩めれば挿入口が圧着部Ｂより離れ靴下履きが完了する。【００１１】  履いた靴下８を脱ぐ場合はアタッチメントＡで、靴下挿入口の後方を圧着部Ｂで軽く挟み踵部を通過させ足先まで押し下げれば脱ぐことが出来る。【００１２】  アタッチメントＡの全長は各試行結果を検討すると、使う人の下椀程の長さが最もコントロールしやすい、例えば図４で示す様に挿入口に足先を入れる場合に挿入口を足幅に合わせて広げる力加減、又は靴下８を引き上げた時の上腕と下椀の曲げる動作に於いても長すぎず具合が良い。言い換えれば両肩より上腕、下椀、アタッチメントＡの合計長さの範囲内に足先が届けば靴下８の着脱が可能と言える。
【実施例２】
【００１３】  この補助具を下着及びズボン等の下半身用着衣の着脱に使用する場合は靴下８と同様に下着であれば図５で示す様に足の挿入口の左右の淵を２本のアタッチメントＡの圧着部Ｂで挟み足先を挿入後、両手で上に引き上げれば履くことが出来る。
【符号の説明】
【００１４】  １    受け側棒
２    押え側棒
３    グリップ部
４    受け側棒の先端部
４ａ  丸リング
４ｂ  長丸状リング
５    押え側棒の弓状先端部
６    連結ロープ
７    緩衝材
８    靴下
Ａ    アタッチメント
Ｂ    二本の棒の先端部で構成する圧着部
【図１】
0003202786.tif 000003
【図２】
0003202786.tif 000004
【図３】
0003202786.tif 000005
【図４】
0003202786.tif 000006
【図５】
0003202786.tif 000007
【手続補正書】
【提出日】平成27年12月1日(2015.12.1)
【手続補正１】
【補正対象書類名】実用新案登録請求の範囲
【補正対象項目名】請求項２
【補正方法】変更
【補正の内容】
【請求項２】
前期受け側棒１の長丸リング状先端部４は丸リング４ａと丸リング４ｂが一体構造で、丸リング４ａの外径は長丸リング４ｂの短径より大きい構造であることを特徴とする、請求項１に記載の両手用靴下履き補助具。
(57)【要約】【課題】扁平率の大きいタイヤに装着した場合に綺麗な外観フォルムにより装飾性を高め且つ耐久性も向上できる自動車用ホイールを提供することを目的とする。【解決手段】リム部３と、スポークを備えたディスク部１とから構成される自動車用ホイールにおいて、リム部３の前端フランジ４は前周平面部と外周縁部とから構成され、外周縁部の厚みを肉厚に形成することにより、タイヤを装着した際にタイヤの側面部よりも外周縁部の外観形状が突出して視認される。【選択図】図２
0003202637.tif 000002
【実用新案登録請求の範囲】
【請求項１】
リム部と、スポークを備えたディスク部とから構成される自動車用ホイールにおいて、前記リム部の前端フランジは前周平面部と外周縁部とから構成され、前記外周縁部の厚みを肉厚に形成することにより、タイヤを装着した際にタイヤの側面部よりも前記外周縁部の外観形状が突出して視認されることを特徴とする自動車用ホイール。
【請求項２】
前記前端フランジの前記前周平面部を大きく形成し、前記前周平面部と前記外周縁部との接続部分に円弧表面を形成することを特徴とする請求項１に記載の自動車用ホイール。
【考案の詳細な説明】
【技術分野】
【０００１】
本考案は、扁平率の大きいタイヤに装着した場合に綺麗な外観フォルムにより装飾性を高め且つ耐久性も向上できる自動車用ホイールに関する。
【背景技術】
【０００２】
自動車用ホイールは、車体の重量、走行時には駆動力や制動力、さらに自動車の走行によって生じる様々な荷重を受けつつ高速で回転するため、自動車の部品の中でも特に過酷な条件のもとで機能させられると共に、外観デザインも重要視される部品である。図１は、従来の自動車用ホイールの一例を示す断面図であり、リム部１２の前端フランジ１３はリム部１２の全体の厚みと同程度に形成されている。
【０００３】
また、タイヤホイールの厚みに関する先行技術として、例えば、特開２０１０−６１７３号公報（特許文献１）には、車両走行時の操縦安定性の向上を図るとともに、重量増加を抑えることができ、かつ耐久性を向上できるタイヤホイールを提供することを目的として、略円筒形状を有するウェル部と、ウェル部よりも大径の環形状を有し、且つウェル部の両端部分に一体に形成されたリムフランジとからなるリム体と、リム体の内周面に、且つウェル部の一端側に接続されるホイールディスクとを備えたタイヤホイールに、ホイールディスクとウェル部との接続部からウェル部の全幅の８％までの少なくとも一部をウェル部全体の平均厚み寸法よりも厚く形成する「タイヤホイール」が開示されている。
【先行技術文献】
【特許文献】
【０００４】
【特許文献１】特開２０１０−６１７３号公報
【考案の概要】
【考案が解決しようとする課題】
【０００５】
本考案は、扁平率の大きいタイヤに装着した場合に綺麗な外観フォルムにより装飾性を高め且つ耐久性も向上できる自動車用ホイールを提供することを目的とする。
【課題を解決するための手段】
【０００６】
上記の課題を解決するために、請求項１に記載の考案は、リム部と、スポークを備えたディスク部とから構成される自動車用ホイールにおいて、前記リム部の前端フランジは前周平面部と外周縁部とから構成され、前記外周縁部の厚みを肉厚に形成することにより、タイヤを装着した際にタイヤの側面部よりも前記外周縁部の外観形状が突出して視認されることを特徴とする。
【０００７】
また、請求項２に記載の考案は、請求項１に記載の前記前端フランジの前記前周平面部を大きく形成し、前記前周平面部と前記外周縁部との接続部分に円弧表面を形成することを特徴とする。
【考案の効果】
【０００８】
以上のように、本考案にかかる自動車用ホイールによれば、タイヤの側面部よりも外周縁部の外観形状が突出して視認されることから、扁平率の大きいタイヤに装着した場合に扁平率の小さいタイヤの如く綺麗な外観フォルムにより装飾性を高めることが可能になる。また、前端フランジが肉厚且つ大きく形成されることにより、車両走行時の耐久性も向上させることが可能になる。
【図面の簡単な説明】
【０００９】
【図１】従来の自動車用ホイールの一例を示す断面図である。
【図２】本考案にかかる自動車用ホイールの一例を示す断面図である。
【図３】図２の一部拡大断面図である。
【図４】本考案にかかる自動車用ホイールを示す写真であって、タイヤに装着した状態を示すものである。
【考案を実施するための形態】
【００１０】
以下、本考案の実施の形態について図面を参酌しながら説明する。ここで、本考案にかかる自動車用ホイールの各構成については、以下の実施例に限定されるものではなく、使用状況によって適宜変更することができる。
【００１１】
図２は本考案にかかる自動車用ホイールの一例を示す断面図、図３は図２の一部拡大断面図である、図２に示すように、ディスク部１は中心部２から放射状に延びる複数のスポークを備えており、スポークの先端部はリム部４のタイヤビード支持部の内周面と一体に形成されている。図３に示すように、リム部３の前端フランジ４は前周平面部５と外周縁部６とから構成され、外周縁部６の厚みが肉厚（リム部の全体の厚みの１．５倍程度）に形成されている。これにより、タイヤ７を装着した際にタイヤ７の側面部よりも外周縁部６の外観形状が突出して視認されるため、扁平率の大きいタイヤに装着した場合に扁平率の小さいタイヤの如く綺麗な外観フォルムにより装飾性を高めることができる（図４の写真参照）。
【００１２】
また、図３に示すように、前端フランジ４の前周平面部５が大きく形成され、前周平面部５と外周縁部６との接続部分に円弧表面が形成されることにより、外観フォルムによる装飾性がさらに高まり、しかも前端フランジ４が肉厚且つ大きく形成されることにより、車両走行時の耐久性の向上が図られる。  
【符号の説明】
【００１３】
１  ディスク部
２  中心部
３  リム部
４  前端フランジ
５  前周平面部
６  外周縁部
７  タイヤ
１０  ディスク部
１１  中心部
１２  リム部
１３  前端フランジ
１４  タイヤ
【図１】
0003202637.tif 000003
【図２】
0003202637.tif 000004
【図３】
0003202637.tif 000005
【図４】
0003202637.tif 000006
(57)【要約】【課題】  本考案は、水洗トイレで洋式便器を使用するとき、便器内の水たまりの跳ね返りによる不快感を解消するトイレ用水跳ね防止シートを提供する。【解決手段】  トイレットペーパーと同質の水溶性素材を、山と谷に折り曲げ加工し強度と浮力を高めたトイレ用水跳ね防止シート５を、便器内２の水たまり３の面に介在し用便時に大便を排泄した時、水の跳ね返りを解消する。【選択図】図２
0003202683.tif 000002
【実用新案登録請求の範囲】
【請求項１】
水洗トイレで洋式便器を使用する前に、便器内の水たまりの面に波状のトイレ用水跳ね防止シートを介在させ、用便時に大便を排泄した時、水の跳ね返りを無くすトイレ用水跳ね防止シート。
【考案の詳細な説明】
【技術分野】
【０００１】  本考案は、トイレ使用時に洋式便器で大便を排泄した時、便器内の水たまりの跳ね返り防止に関する。
【背景技術】
【０００２】  従来の洋式便器を使用する際、便器内の水たまりの跳ね返りによる不快感を解消する工夫をしていない。
【考案の開示】
【考案が解決しようとする課題】
【０００３】  便器内の水たまりの跳ね返りを無くし、誰でも快適にトイレを使用できる様にする。
【課題を解決するための手段】
【０００４】  本考案の便器内の水たまりの面に浮かせる波状のトイレ用水跳ね防止シートは、強度と浮力を高める為、山と谷に折り曲げ加工してある。波状の他に渦巻状・円錐状・角錐状等凹凸に加工したものでもよい。
【考案の効果】
【０００５】  本考案は、トイレ使用時に便器内の水たまりの面に、トイレ用水跳ね防止シートを介在させるので用便を快適に済ますことが出来る。【０００６】  トイレットペーパーと同質の水溶性素材なので、用便後洗い流しても排水管に詰まることはない。
【図面の簡単な説明】
【０００７】
【図１】本考案に係る水跳ね防止シートの斜視図である。
【図２】本考案に係る水跳ね防止シートの使用状態を示す参考図である。
【考案を実施するための形態】
【０００８】  図２に示すように、便器内２の水たまり３の面に波状のトイレ用水跳ね防止シート５を介在し、用便後排水口４より洗い流す。
【符号の説明】
【０００９】  １  便器の本体
２  便器内
３  水たまり
４  排水口
５  水跳ね防止シート
【図１】
0003202683.tif 000003
【図２】
0003202683.tif 000004
(57)【要約】      （修正有）【課題】荷積みや設置する作業時において持ち上げた際に、意図せず開くことを抑止する立看板用枠及び立看板を提供する。【解決手段】本考案の立看板用枠にあっては、支持用枠縦フレーム１、２の断面がＬ字形からなり、その支持用枠縦フレーム１、２の二面が角柱からなる標示面用枠縦フレーム５、６の二面と密接して重なった状態で、回転可能な軸１０、１１により連結された形状を持つ。【選択図】図２
0003202681.tif 000002
【実用新案登録請求の範囲】
【請求項１】
立看板用枠であって、
支持用枠縦フレームの断面がＬ字形からなり、その支持用枠縦フレームの二面が角柱からなる標示面用枠縦フレームの二面と密接して重なった状態で、回転可能な軸により連結された形状を特徴とする立看板用枠。
【請求項２】
請求項１に記載の立看板用枠において、
支持用枠が断面Ｌ字形、もしくは、Ｉ字形からなる横フレームを有し、その支持用枠横フレームと標示面用枠横フレームとが重なった状態で、回転可能な軸により連結された形状を特徴とする立看板用枠。
【請求項３】
請求項１、及び、請求項２のいずれか一つに記載の立看板用枠において、
標示面用枠に標示面を設けてなる立看板。
【考案の詳細な説明】
【技術分野】
【０００１】  本考案は、開閉式の立看板用枠であり、特に持ち上げた際に意図せず開くことを抑止し得る立看板用枠に関する。
【背景技術】
【０００２】  従来の立看板用枠は、特許文献１の図１ａに示すように標示面を設けるための標示面用枠と、これを支持するための支持用枠とを重ね、回転可能な軸で連結させた形状が知られている。
【先行技術文献】
【特許文献】
【０００３】
【特許文献１】特許公開２０１４−６３０４８号公報
【考案の概要】
【考案が解決しようとする課題】
【０００４】  上述した従来の立看板用枠においては、標示面用枠と支持用枠とが共に角柱からなり、標示面用枠を構成する角柱の一面に支持用枠を構成する角柱の一面を重ねた状態で、回転可能な軸により連結されており、支持用枠の開閉を制御する機能は特に持たない。そのため、複数の立看板用枠を荷積みや設置する作業時において持ち上げた際に、支持用枠が意図せず開き作業の支障となることが起こり得る。本考案は、係る課題を解消する立看板用枠を提供するものである。
【課題を解決するための手段】
【０００５】  上記課題を解決するための第一の考案として、支持用枠縦フレームの断面がＬ字形からなり、その支持用枠縦フレームの二面が角柱からなる標示面用枠縦フレームの二面と密接して重なった状態で、回転可能な軸により連結された形状を特徴とする立看板用枠を提供する。【０００６】  第二の考案としては、第一の考案に記載の立看板用枠において、支持用枠が断面Ｌ字形、もしくは、Ｉ字形からなる横フレームを有し、その支持用枠横フレームと標示面用枠横フレームとが重なった状態で、回転可能な軸により連結された形状を特徴とする立看板用枠を提供する。【０００７】  第三の考案としては、第一の考案、及び、第二の考案のいずれか一つに記載の立看板用枠において、標示面用枠に標示面を設けてなる立看板を提供する。
【考案の効果】
【０００８】  本考案により、荷積みや設置する作業時において持ち上げた際に、支持用枠が意図せず開くことを抑止し得る立看板用枠を提供することができる。
【図面の簡単な説明】
【０００９】
【図１】立看板用枠を開き立てた状態の全体斜視図
【図２】立看板用枠を閉じた状態の全体斜視図
【図３】立看板用枠を閉じた状態の拡大平面図
【図４】立看板用枠を閉じた状態の側面図
【考案を実施するための最良の形態】
【００１０】  次に、本考案による立看板用枠の具体的な実施の形態について、図面を参照しつつ説明する。【００１１】  図１には本実施形態に係る立看板用枠を開き立てた状態の全体斜視図が示されている。図２には上記立看板用枠を閉じた状態の全体斜視図が示されている。図３には上記立看板用枠を閉じた状態の拡大平面図が示されている。図４には上記立看板用枠を閉じた状態の側面図が示されている。【００１２】  この立看板用枠は、左右一対の縦フレーム１、２と両縦フレーム１、２を連結する横フレーム３、４を有する支持用枠と、左右一対の縦フレーム５、６と両縦フレーム５、６を連結する横フレーム７，８，９を有する標示面用枠を具有する。【００１３】  上記支持用枠と標示面用枠は、支持用枠の縦フレーム１と標示面用枠の縦フレーム５を貫通して設けられた回転可能な軸１０と、支持用枠の縦フレーム２と標示面用枠の縦フレーム６を貫通して設けられた回転可能な軸１１により連結され、開閉可能な状態となる。【００１４】  上記支持用枠と標示面用枠を閉じた状態において、Ｌ字形からなる支持用枠縦フレーム１の二面１ａ、１ｂが、角柱からなる標示面用枠縦フレーム５の二面５ａ、５ｂに密接し、支持用枠縦フレーム２の二面２ａ、２ｂが、標示面用枠縦フレーム６の二面６ａ、６ｂに密接した状態となる。【００１５】  このように構成された本実施形態の立看板用枠にあっては、支持用枠縦フレームの面１ａ及び２ａが、標示面用枠縦フレームの面５ａ及び６ａを左右から挟み込むことで、立看板枠を持ち上げた際に、支持用枠が意図せず開くことを抑止することが可能となる。【００１６】  また、上記支持用枠と標示面用枠を閉じた状態において、Ｌ字形、もしくは、Ｉ字形からなる支持用枠横フレーム３、４は、角柱からなる標示面用枠横フレーム８、９に重なった状態となる。【００１７】  このように構成された本実施形態の立看板用枠にあっては、支持用枠横フレームと標示面用枠横フレームを同時に握ることが容易なため、立看板枠を持ち上げた際に、支持用枠が意図せず開くことを抑止することが可能となる。
【符号の説明】
【００１８】１    支持用枠縦フレーム
１ａ  支持用枠縦フレーム側面
１ｂ  支持用枠縦フレーム背面
２    支持用枠縦フレーム
２ａ  支持用枠縦フレーム側面
２ｂ  支持用枠縦フレーム背面
３    支持用枠横フレーム
４    支持用枠横フレーム
５    標示面用枠縦フレーム
５ａ  標示面用枠縦フレーム側面
５ｂ  標示面用枠縦フレーム背面
６    標示面用枠縦フレーム
６ａ  標示面用枠縦フレーム側面
６ｂ  標示面用枠縦フレーム背面
７    標示面用枠横フレーム
８    標示面用枠横フレーム
９    標示面用枠横フレーム
【図１】
0003202681.tif 000003
【図２】
0003202681.tif 000004
【図３】
0003202681.tif 000005
【図４】
0003202681.tif 000006
(57)【要約】      （修正有）【課題】持っているだけでリハビリ効果があり、顔・手の甲等のマッサージ用として使用できるリハビリ用マッサージボールを提供する。【解決手段】球形又は楕円状のボール体１の外表面全体に円錐型・山型の突起４を多数設け、ボール体１の１か所部分に設けた蓋部分８より、内部に樹脂系等の反発性のあるクッション材７を充填し、ボール体１の外郭は２分割された形で合わせ接合され、接合部５の任意の対向的２点において小切れ目を設けて、スットッパー付きＬ金具２の差し込み口６を形設し、そこに差し込まれたスットッパー付きＬ金具２同士結合して、ボール体１の外側を半周回して、手の甲の外側において、装着を安定させるループ体３を設ける。【選択図】図１
0003202684.tif 000002
【実用新案登録請求の範囲】
【請求項１】
球形又は楕円状のボール体の外表面全体に円錐型・山型の突起を多数設け、ボール体の１か所部分に設けた蓋部分より、内部に樹脂系等の反発性のあるクッション材を充填し、ボール体の外郭は２分割された形で合わせ接合され、接合部の任意の対向的２点において小切れ目を設けて、スットッパー付きＬ金具の差し込み口を形設し、そこに差し込まれたスットッパー付きＬ金具同士結合して、ボール体の外側を半周回して、手の甲の外側において、装着を安定させるループ体を設け、差し込み口に余裕の隙間があるため、ボールを圧迫しても変形がなく、ボール体全体に突起があるため、手の平全体のツボを刺激し、スットッパー付きＬ金具を軸として回転させて使用しているため、ボール体が回転し、顔・手の甲等のマッサージ効果もあることを特徴とするリハビリ用マッサージボール。
【考案の詳細な説明】
【技術分野】
【０００１】  本発明は、手の指のリハビリ、顔・手の甲等のマッサージに関するものである。
【背景技術】
【０００２】  手のリハビリ用の用具は、棒状に突起の付いたもの棒状でクッション性のもの等が多い。マッサージ効果の器具は多種多様である。
【先行技術文献】
【特許文献】
【０００３】  リハビリ・マッサージ効果に関するものは多数ある。
【考案の概要】
【考案が解決しようとする課題】
【０００４】  手のリハビリ用具は、棒状の形がほとんどで、手の甲にはめるもの指にはめるもの等があるが、太さがないため手の平全体への刺激がない。リハビリようにしか使用できない。
本発明は、以上の問題を解決するためになされたものである。
【課題を解決する手段】
【０００５】  球又は楕円状の外壁面全体に円錐型・山型等の突起を多数設け、ボール体の１か所部分に設けた蓋部分より、ボール体内部に樹脂系等の反発性のあるクッション材を充填し、ボール体の外郭は２分割された形で合わせ接合され、接合部の任意の対向的２点において、小切れ目を設けて、スットッパー付きＬ金具の差し込み口を形設し、そこに差し込まれたスットッパー付きＬ金具同士を結合して、ボール体の外側を半周回して手の甲の外側において装着を安定させるループを設ける。差し込み口に余裕の隙間があるためボールを圧迫しても変形がなく、手の平全体に突起が当たり、ツボを刺激する。スットッパー付きＬ金具を軸として回転させ使用するため、ボール体が回転し、顔・手の甲等のマッサージ効果をアップする。
以上を特徴とするリハビリ用マッサージボールである。
【考案の効果】
【０００６】  乳児が手を握っているのは安心感を保つためと言われている。実際に障害のある方に、試してもらった結果、手の平全体に突起があたるため、持っているだけでも気持が良いとの事でした。リハビリ用球・楕円状等のボール体は手の平全体に突起が当たるため、気持ち良いだけでなく圧迫する事で手のツボを刺激し、リハビリ効果もあり、またスットッパー付きＬ金具を使用しているためスムーズに回転する事により、顔・手の甲等のマッサージ用としても使用できる。
【図面の簡単な説明】
【０００７】
【図１】  本発明の球体の実施例における側面図
【図２】  本発明の楕円体の実施例における側面図
【考案を実施するための形態】
【０００８】  以下、本発明の実施の形態を説明する。
球又は楕円状のボール状の外表面全体に円錐型・山型等の突起（４）を設け、ボール体（１）の１か所部分に設けた蓋部分（８）より、内部に樹脂系等の反発性のある小片クッション材（７）を充填し、ボール体（１）の外郭は２分割された形で合わせ接合され、接合部（５）の任意の対向的２点において小切れ目を設けて、スットッパー付きＬ金具（２）の差し込み口（６）を成し、このスットッパー付きＬ金具（２）同士をボール体（１）の外側を半周回して、手の甲の外側において装着ループ（３）を安定させる。差し込口（６）に余裕の隙間があるためボール体（１）を圧迫しても変形がなく、スットッパー付きＬ金具（２）を軸として回転させて使用するため、ボール体（１）が回転し、顔・手の甲等のマッサージ効果もあり、手の平全体に突起があるため、手のツボの刺激になり実際に障害のある方は、手に嵌めているだけで気持ち良いとの答えをもらいました。
【符号の説明】
【０００９】１    ボール体
２    ストッパー付きＬ金具
３    装着ループ
４    突起
５    接合部
６    差し込み口
７    小片クッション材
８    蓋部分
【図１】
0003202684.tif 000003
【図２】
0003202684.tif 000004
(57)【要約】      （修正有）【課題】靴下の内側に装着して、足裏の外側を少し持ち上げ、体重が足裏の外側から内側になるようにして体全体のバランスを良くするとともに、外見上見た目を損なわず、通常の歩行にも差しさわりがない骨盤補整サポータを提供する。【解決手段】靴下やストッキングのような袋状のもの９で足のつま先から足の甲の半分くらいを覆い、足裏の外側を少し持ち上げるように三角形状のパッド２０（綿や発泡材などの充填剤６）を袋状の足裏部に貼着あるいは縫い合わせる。【選択図】図２
0003202682.tif 000002
【実用新案登録請求の範囲】
【請求項１】
靴下やストッキングのような袋を足のつま先から足の甲のほぼ半分くらいを覆い、該袋の足裏の親指以外の指にかかるよう三角形状の綿や発泡材などからなるパッドを貼着あるいは、縫い合わせ一体化したパッドを両足に装着し、該両足にかかる体重が足の外側にかかることを軽減し、重心が中央にきて、体のバランスを良くすることを特徴とした、骨盤補整サポータに関する。
【考案の詳細な説明】
【技術分野】
【０００１】    本考案は、靴下やストッキングのような袋状のものを足のつま先から足の甲の約半分程度を覆い、該袋の足裏の第１中足骨以外の第２中足骨、第３中足骨、第４中足骨、第５中足骨の先端部分に三角形状のパッド（綿や発泡材など）を前記袋の足裏部に貼着あるいは縫い合わせ、前記第５中骨部を少し持ち上げるように支える骨盤補正サポータに関する。
【背景技術】
【０００２】    従来のＯ脚、骨盤補正サポータは、装着時の強度な圧迫により、身体への負担が大きく、装着時の日常生活及び外出が困難だった。【０００３】また、サポータを装着していない状態では、足にかかる体重が、両足の裏側の外側にかかり、Ｏ脚状態となって膝や腰の痛みの症状があった。
【考案の概要】
【考案が解決しようとする課題】
【０００４】    本考案は、足裏の外側を少し持ち上げて、体重が足裏の外側から内側になるようにして体全体のバランスを良くして、前記課題を解決するものである。
【課題を解決するための手段】
【０００５】  前記課題を解決するために靴下やストッキングのような袋状のものを足のつま先から足の甲の半分くらいを多い、該足裏の外側を少し持ち上げるような三角形状のパッド（綿や発泡材など）を該袋状の足裏部に貼着あるいは縫い合わせ、前記課題を解決するものである。
【考案の効果】
【０００６】    本考案は、このように構成されているため、靴下の内側に装着しているので、服装や外見上の見た目を損なうことが無い。【０００７】また、足裏外側に貼着、あるいは縫い合わせた三角形状のパッドにより第５中足骨や踵骨の上に位置する距骨などが足指から足首までの骨格のゆがみの補正が出来る。【０００８】また、足首が補正された状態での歩行により、筋力のバランスの調節、骨盤及び体の重心の安定化ができるので、膝や骨盤への負担が軽減され、痛みも緩和、軽減される。【０００９】上記のような利点からゴルファーのスイングの際、体の重心が中央に補正されるので、安定し他スイングが得られる。【００１０】その他、例えばマラソン選手が長距離の走行時にも膝や骨盤への負担が軽減されるので、より良い走行が可能となった。
【図面の簡単な説明】
【００１１】
【図１】は、本考案の本体を示すもので、（Ａ）は、本考案を足裏側から見た図で、（Ｂ）は、（Ａ）のＸ‐Ｘ断面図を示すものである。
【００１２】
【図２】は、本考案を一実施例として、右足に装着して上から見た図である。
【００１３】
【図３】は、本考案を装着した右足を正面から見た図である。
【００１４】
【図４】は、右足指を正面から見た配列を示す、簡略図の説明図である。
【００１５】
【図５】は、右足を外側のやや上方から見た、骨格を示すものである。
【００１６】
【図６】の（Ａ）は、本考案を装着しない状態を示すもので、誇張した図であるが、Ｏ脚を示し、（Ｂ）は、本考案を装着して、前記（Ａ）を補整された状態を示すものである。
【考案を実施するための形態】
【００１７】  本考案を図面に従って、詳しく説明すると、一実施例として右足で説明する。
【００１８】先ず図１（Ａ）は、の本考案である骨盤補整サポータ１０の素材は、靴下やストッキングのような袋９からなり、三角形状の綿や発泡材８を充填したパッド２０を足裏の外側部に前記袋９に貼着あるいは縫い合わせた状態を示し、（Ｂ）は、（Ａ）で示す、Ｘ‐Ｘ断面図を示すのである。
【００１９】図２は、想像線を２点鎖線で表した靴下３０を本考案である骨盤補整サポータ１０を右足Ｒに装着し、３つの円に主に体重がかかる位置をそれぞれＡ、Ｂ、Ｃで示した説明図で、体重が該Ａ点よりＢ点にかかる力が大きく、前記三角形状の骨盤補整サポータ１０により、足の指の１以外の２、３、４、５にかかるよう配置され、該指５が一番高く徐々に傾斜して足指２が一番低くなっている。
【００２０】前記骨盤補整サポータ１０は、三角形状の袋９の中に綿や発泡材８を充填して、前記靴下やストッキングのような袋９に前記パッド２０が貼着、あるいは縫い合わされている。
【００２１】図２の状態を正面から見た図が図３で、前記パッド２０により右足Ｒの外側が地面ＧからＨの高さに持ち上げられた状態であるが、体重Ｗがかかるとパッド２０の袋体９の中は、綿または発泡材８が充填されているので、地面Ｇに当接しているパッド２０は、前記持ち上がり高さＨより約半分以下となる。
【００２２】図４は、足正面から見て足の指１から５までを略化した図で、地面Ｇにアーチ状に並んだ足の指１から５の体重Ｗがかかった場合、地面Ｇの支える力Ｐで、主に１と５で支えられている状態を示し、この時体重Ｗは、５より１に大きくかかり、指５を持ち上げる必要があることがわかることを示す。
【００２３】図５は、右足Ｒを外側のやや上方から見た足の骨格構造を示したものであり、第１中足骨１１、第２中足骨１２、第３中足骨１３、第４中足骨１４、第５中足骨１５があり、踵骨１６の上にある距骨１７と腓骨１８で主に体重Ｗが支えられている。
【００２４】該距骨１７に地面Ｇからの支える力Ｐが、ここに負担がかかると痛みを生じることがある。
【００２５】そこで、前記第５中足骨１５側を持ち上げる必要があることが分かる。
【００２６】図６（Ａ）は、前記サポータ２０を装着しないで、人が普通に立った状態であるが、説明のためやや誇張した図で、（Ｂ）は、前記サポータ２０を装着して補整された状態を示あるものである。
【主な符号の説明】
【００２７】６・・・・・・・綿、発泡材などの充填材
７・・・・・・・骨盤補正サポータ口
８・・・・・・・パッド
９・・・・・・・骨盤補正サポータ袋
１０・・・・・・骨盤補正サポータ全体
１１〜１５・・・第１中足骨〜第５中足骨
１７・・・・・・距骨
２０・・・・・・パッド全体
３０・・・・・・靴下
Ｇ・・・・・・・地面（床）
Ｗ・・・・・・・体重
Ｐ・・・・・・・支える力
Ｒ・・・・・・・右足
【図１】
0003202682.tif 000003
【図２】
0003202682.tif 000004
【図３】
0003202682.tif 000005
【図４】
0003202682.tif 000006
【図５】
0003202682.tif 000007
【図６】
0003202682.tif 000008
(57)【要約】      （修正有）【課題】用途別目印を簡単に安価に付けることができるタオルを提供する。【解決手段】タオル１に細長い布を通すための穴２をあけ、穴２に細長い布を通してタオルの用途の目印とする。【選択図】図１
0003202661.tif 000002
【実用新案登録請求の範囲】
【請求項１】
タオルに細長い布を通すための穴をあけ、前記穴に細長い布を通してタオルの用途の目印とすることを特徴とするタグをつける穴のあいたタオル
【考案の詳細な説明】
【技術分野】
【０００１】  本考案は、用途や、だれが使うのかなどを分かりやすくするためのタグをつける穴を予めあけているタオルに関するものである。
【背景技術】
【０００２】  従来、トイレ用とか洗面所用、台所用、個人別用等、用途によってタオルを分ける場合、タオル本体に予め用途が書いてある高価なものを選ぶか、使用者がマジック等で用途を書き込むか、刺繍や縫い付けによる用途の目印をつけていた。
【考案の概要】
【考案が解決しようとする課題】
【０００３】  タオルの用途を簡単に安価にし分けることができる。
【課題を解決するための手段】
【０００４】  本考案は、タオルの端の方にボタンホ−ルのような穴を予めあけておき、使用する者がその穴に、トイレ用とか洗面所用、介護用、個人の名前などの用途別のタグを前記穴に通して使用する。
【考案の効果】
【０００５】  従来のタオル本体に平面的に付けられた用途別目印では、畳まれて保管している時一目では分かりにくかったが、使用者にとって分かりやすい、用途別書込色別タグをつけることによって、一目で用途が確認できる。介護用等、他と特に分けておきたいものも簡単に分けることができ使用者以外の者でも分かりやすく間違いが少なくなる。使い込むうち雑巾用等、用途が変わった場合でも、使用者がタグを付け替えて経済的に使える。
タオルにつけるタグを製品として提供できる新しい市場が生まれる可能性がある。
【図面の簡単な説明】
【０００６】
【図１】タオル本体に付けられた、タグを通すことができる穴
【図２】使用者が結び付けるタグの例
【考案を実施するための形態】
【０００７】  予めタオルの端にタグとして使用できるリボン等の布を通す穴をあけておく。タオルにあけられた前記穴に用途別に決めた色のリボン等細長い布を通し結んで固定し、必要に応じて前記布にマジック等で用途を書き込む。
【実施例】
【０００８】  以下添付図に従って、一実施例を説明する。１は、タオル本体であり、２は前記タオルにあけられた穴である。前記穴に３のリボンを結んで固定する。リボンの色別でタオルの用途をし分けることができる。
【符号の説明】
【０００９】１  タオル
２  タオルにあけられた穴
３  タオルの穴に通され結び付けられたリボン
【図１】
0003202661.tif 000003
【図２】
0003202661.tif 000004
(57)【要約】【課題】  人手も時間も要せず、害虫の完全駆除を行う害虫駆除装置を提供する。【解決手段】殺虫剤１２を入れるための側面に、噴霧口１１が開けられた長方形状のタンク１０と、前記タンク１０の上部に取り付けられたタンクのフタ９を備え、前記タンクのフタ９の内側にはプロペラ羽根８が取り付けられ、前記タンクのフタ９の外側には、前記プロペラ羽根８を回転駆動するモーター５と、前記モーター５を収納する円筒形のモーターカバー６と、前記モーター５を固定するモーター台７とが取り付けられ、前記モーター５に電力を供給するソーラー発電機１がソーラー移動用線４により太陽光の届く場所に移動できるように取り付けられている。【実用新案登録請求の範囲】
【請求項１】
殺虫剤を入れるための側面に噴霧口が開けられた長方形状のタンクと、前記タンクの上部に取り付けられたタンクのフタを備え、前記タンクのフタの内側にはプロペラ羽根が取り付けられ、前記タンクのフタの外側には、前記プロペラ羽根を回転駆動するモーターと、前記モーターを収納する円筒形のモーターカバーと、前記モーターを固定するモーター台とが取り付けられ、前記モーターに電力を供給するソーラー発電機がソーラー移動用線により太陽光の届く場所に移動できるように取り付けられている、害虫駆除装置。
【考案の詳細な説明】
【技術分野】
【０００１】本考案は、モーターでプロペラ羽根を回転させ、気化した殺虫剤を噴霧する害虫駆除装置に関する物である。
【背景技術】
【０００２】従来は駆除方法として害虫を手作業で摘除するか、または殺虫剤を散布していた。
【考案の概要】
【考案が解決しようとする課題】
【０００３】従来の手作業による摘除では、時間や人手を要するものの完全駆除に問題があった。【０００４】本考案は、人手も時間も要せず害虫の完全駆除を行う害虫駆除装置を提供するものである。
【課題を解決するための手段】
【０００５】本考案の害虫駆除装置は殺虫剤を入れるための側面に噴霧口が開けられた長方形状のタンクと、前記タンクの上部に取り付けられたタンクのフタを備え、前記タンクのフタの内側にはプロペラ羽根が取り付けられ、前記タンクのフタの外側には、前記プロペラ羽根を回転駆動するモーターと、前記モーターを収納する円筒形のモーターカバーと、前記モーターを固定するモーター台とが取り付けられ、前記モーターに電力を供給するソーラー発電機がソーラー移動用線により太陽光の届く場所に移動できるように取り付けられている。この害虫駆除装置を、駆除対象の木の根本に設置しておけば、人手も時間も要せず害虫の完全駆除を行うことができる。
【考案の効果】
【０００６】本考案によれば、人手も時間も要せず害虫の完全駆除を行うことができる。
【図面の簡単な説明】
【０００７】
【図１】  本考案の害虫駆除装置の全体を示す正面図である。
【図２】  本考案の害虫駆除装置の全体を示す斜視図である。
【図３】  本考案の害虫駆除装置を木の根元に配置した状態を示す図である。
【考案を実施するための形態】
【０００８】以下、図面を用いて本考案の実施例を説明する。
【実施例】
【０００９】図１、図２に示すように、本考案の害虫駆除装２０は殺虫剤１２の入った長方形状のタンク１０と、タンクのフタ９の内側に取り付けられたプロペラ羽根８を回転駆動するモーター５と、モーター５を収納する円筒形状のモーターカバー６に、モーター台７を取り付け、モーター５に電力を供給するソーラー発電機１を備えている。ソーラー発電機１はソーラー支柱２で支えられ、ソーラー受け台３に乗せられており太陽光が当たり易いように向きを変えることができる。【００１０】ソーラー発電機１はソーラー移動用線４により太陽の届く場所に移動できるように取り付けられている。【００１１】タンク１０の側面には、プロペラ羽根８により拡散された殺虫剤１２を噴霧するように噴霧口１１が開けられている。【００１２】タンク１０に開けられた噴霧口１１は、太陽光の無い日でも自然気化の殺虫剤１２を噴霧ができ殺虫剤１２の補充をすることもできるようにしている。【００１３】図３に示すように、スミチオン（登録商標）などの殺虫剤１２を入れた害虫駆除装置２０を害虫の幼虫１５が発生した椿などの木１３の根元１４の近くに設置するソーラー発電機１が発電してプロペラ羽根８が回転すると気化した殺虫剤１２が害虫駆除装置２０から噴霧されて上方に拡散していくので葉裏にいる幼虫１５を効果的に駆除できる。また駆除できずに生き残った幼虫１５は蛹化するために木１３の根元１４を伝い下りてくるが、この幼虫１５の通り道の方向に噴霧口１１が向くように害虫駆除装置２０を置くことにより椿の木１３の根元１４に置けば効果的に駆除ができる。【００１４】チヤドク蛾の幼虫は高さ約２ｍ、幅１，２ｍの椿の木１３の地上より１ｍ辺りのしつかりした葉の裏に頭部をそろえて群生しており（図３を参照）年２回の発生で老熟幼虫は落葉下で蛹となる。木１３の根元１４に害虫駆除装置２０を置きスミチオン（登録商標）の水和剤１０００倍を気化噴霧することにより葉裏のチヤドク蛾の幼虫１５を効果的に駆除することができた。また生き残った幼虫１５の通り道となる木１３の根元１４に殺虫剤１２を噴霧することにより老熟幼虫を完全駆除することができた。
【符号の説明】
【００１５】１    ソーラー発電機
２    ソーラー支柱
３    ソーラー受け台
４    ソーラー移動用線
５    モーター
６    モーターカバー
７    モーター台
８    プロペラ羽根
９    タンクのフタ
１０  タンク
１１  殺虫剤噴霧口
１２  殺虫剤
１３  木１４
１４  木の根元
１５  幼虫
２０  害虫駆除装置
【図１】
0003202667.tif 000002
【図２】
0003202667.tif 000003
【図３】
0003202667.tif 000004
(57)【要約】      （修正有）【課題】上下の歯の噛み合わせ面を同時にケアできる二股ダブルの歯ブラシを提供する。【解決手段】歯ブラシの柄の先方約半分辺りから、一定の間隔をもって二股平行に分かれて二股平行部を成し、二股の各片の各々の先端にブラシ台を設け、各々のブラシ台に相互背中合わせにブラシを設ける。【選択図】図１
0003202669.tif 000002
【実用新案登録請求の範囲】
【請求項１】
歯ブラシの柄の先方約半分辺りから、一定の間隔をもって二股平行に分かれて二股平行部を成し、二股の各片の各々の先端にブラシ台を設け、各々のブラシ台に相互背中合わせにブラシを設けることを特徴とする二股ダブルブラシの歯ブラシ。
【考案の詳細な説明】
【技術分野】
【０００１】  本考案は、二股二つのブラシを有する歯ブラシに関するものである。
【背景技術】
【０００２】  従来の歯ブラシは、ブラシの毛がブラシ台の片面にしか付いてなく、上下の歯の噛み合わせ面を同時にケアすることが出来なかった。また、顎の噛む力を歯磨きに利用してこなかった。
【考案が解決しようとする課題】
【０００３】  歯の噛み合わせ面は上下左右に四面あり、１ヶ所ずつ順番にケアするしかなかった。従来、電動以外の歯磨きは腕の力のみで行われていた。
【考案が解決するための手段】
【０００４】  歯ブラシの柄の先方約半分辺りから一定の間隔を持って二股平行に分かれ、各々の先端にブラシ台を設け、ブラシ台に背中合わせにブラシを設ける。
以上を特徴とする二股ダブルブラシの歯ブラシである。
【考案の効果】
【０００５】  この考案を使用することにより、下記の効果がある。
（イ）上下の歯の噛み合わせ面を同時にケアでき、二股平行に分かれた部分に頬を挟み込むことによって、上下の歯の外側面も磨けるようになった。
（ロ）歯の噛み合わせ面のプラークコントロールを、上下同時に行うことが出来る。
（ハ）上下の歯を同時にケアすることで、お手入れの時間を短縮することができる。
（ニ）歯ブラシの毛の部分を上下の歯で甘噛みすることで、顎の力をブラークの除去に利用できる。
（ホ）顎の力をプラークの除去に利用出来るため、その分の腕の力が必要なくなり、楽にお手入れが出来る。
【図面の簡単な説明】
【０００６】
【図１】本考案の斜視図
【図２】本考案の側面図
【図３】本考案の二股平行部に頬を挟み込んで使用している状態を示すイメージ図
【考案を実施するための形態】
【０００７】  本考案を使用する時は、ブラシ柄（１）を手で持ち、毛（２）を歯で甘噛みしながら動かし、プラークを除去する。歯の外側面をお手入れする時は、二股平行部（３）に頬を挟み込んで動かしプラークを除去する。二股平行に分かれた部分に頬を挟み込むことによって、上下の歯の外側面も磨けるようになった。
【符号の説明】
【０００８】  １  ブラシ柄、  ２  毛、  ３  二股平行部、  ４  ブラシ台
【図１】
0003202669.tif 000003
【図２】
0003202669.tif 000004
【図３】
0003202669.tif 000005
(57)【要約】      （修正有）【課題】潤滑箇所に的確に、所要量の潤滑油を、迅速にスムースに的確に適量を注油できるゲル状潤滑材を提供する。【解決手段】ゲル状潤滑油を、微細な口径の注油口３を備えた、チューブ形の容器４に充填し用いる。ゲル状潤滑材は、微細な径の管や吐出口３を滑らかに通過する性質があり、潤滑箇所にスムースに、的確に適量を供給することが可能となる。【選択図】図２
0003202676.tif 000002
【実用新案登録請求の範囲】
【請求項１】
微細な口径の注油口を備えた容器に充填した、ゲル状潤滑剤。
【考案の詳細な説明】
【技術分野】
【０００１】液体や半液体の潤滑油、半固体の潤滑剤であるグリースを、潤滑箇所に迅速でスムースに、的確に適量を供給するシステムに関する技術。
【背景技術】
【０００２】潤滑油やグリースと注油器具とは、不離の関係にある。迅速にスムースに的確に適量の潤滑剤を潤滑箇所に注油するためには、潤滑剤と注油器具の最適な組み合わせが求められる。【０００３】注油器具の原形は図１であるが、図１−１の油溜め部分と、図１−２の吐出管（つる首）からなる。注油は器具の底板に、指等で圧力を加えて中身を押し出す。手差しの方法としては、現在も広く利用されている。【０００４】一方、中大型機械の潤滑では、給油を自動制御する方法が用いられることが多い。【０００５】また、圧縮ガスを用いて、潤滑油を潤滑箇所にスプレー噴射する方法も現れた。【０００６】グリースの潤滑では、高圧で押し出す注油器具を利用する等、多様である。
【考案の概要】
【考案が解決しようとする課題】
【０００７】微細な径の潤滑剤の射出口、即ち直径１μから５ｍｍ程度の注出口を経由して、潤滑剤を迅速にスムースに的確に適量を供給したい。【０００８】潤滑を大別すると、液状の潤滑油（オイル）による場合と、半固体のグリースによる場合がある。【０００９】これを注油の面からみると、液状のオイル潤滑油の優位点は、取り扱いが容易なことである。難点は、注油量を微細に調節しにくいことである。特に少量を利用する場合、例えば自転車や戸車、ドアヒンジ、鍵などで注油量をコントロールすることは難しい。注油量が多すぎると無駄であるし、漏れて周囲を汚す。他方、少量に過ぎると、潤滑の目的を果たすことができない。【００１０】注油面からみると、半固体のグリース潤滑の優れる点は、漏えいや飛散が少ないことであるが、潤滑箇所への迅速でスムースに、的確に適量を供給することが難しい。グリースはスムースに流れにくいのである。【００１１】ＬＰガスや有機溶剤などの媒体を用い、スプレー式の注油は、噴射によるため拡散し無駄が多く、さらにガスや溶剤も無駄そのものである。その上、ガスや溶剤は危険物の範疇であり、取り扱いに配慮を要する。【００１２】理想とする潤滑を実現するには、液状の潤滑油と半固体潤滑剤のグリースの優位点を互いに残しながら、欠点を減らす潤滑剤が必要となる。
【課題を解決するための手段】
【００１３】課題を解決するための考案の第一は、ゲル状潤滑剤を採用することである。潤滑の要求特性と注油器具との適性に合致する、ゲル状潤滑剤の品質を設計する。【００１４】ゲル状の潤滑剤は、潤滑油基油（ベース油）にゲル化剤を加え、必要に応じて増粘剤、酸化防止剤、防錆材、耐圧（極圧）剤等を添加して作成する。この場合、所要の融点を設計して完成する。【００１５】潤滑油の利点とグリースの利点を併せ持つように設計したゲル状潤滑剤は、液状潤滑では難しい適量の給油ができるようになり、グリースでは出来ない、微細な径の注油口を用いる迅速でスムースに、的確で適量の給油が可能になった。【００１６】課題を解決するための考案の第二は、微細径の注油口を備えた、注油器具を用いることである。【００１７】注油器具とゲル状潤滑油を組み合わせる最良の形は、図２に示す合成樹脂製のチューブ容器を用いることである。チューブの吐出口は、ゲル状の潤滑油の性状に合わせて、その径を設計する。【００１８】潤滑油を大量に使用する場合は、チューブ容器は利用しない。この場合は大容量（２０ｌや２００ｌ）の容器から注油器に移し替えて用いる。即ち在来の供給システムが利用できる。
【考案の効果】
【００１９】半液状潤滑油のゲル状潤滑剤は、グリースと異なり、微細な径の管や吐出口を滑らかに通過する性質を持っている。この性能を活かし、潤滑箇所に迅速でスムースに、的確に適量を供給することが可能となった。【００２０】ゲル状の潤滑剤を用いることにより、液状のオイルとグリース両方の利点を利用することが可能となった上に、迅速にスムースに的確に適量の注油ができるようになった。
【図面の簡単な説明】
【００２１】
【図１】図１は、注油器の斜視図。
【図２】図２は、ゲル状潤滑剤を充填した、注油機能を備えたチューブ型容器の斜視図
【考案を実施するための形態】
【００２２】ゲル状の潤滑油に使用するチューブ容器は、ラミネートシートを用いたものがよい。
【符号の説明】
【００２３】１……油溜め
２……潤滑剤の吐出管
３……注油口
４……チューブ状の容器
５……注油口の蓋（キャップ）
【図１】
0003202676.tif 000003
【図２】
0003202676.tif 000004
(57)【要約】【課題】  本考案は、使用する時容易にはがして取り外すことが出来るラップを提供するものである。【解決手段】  本体１の両端の片側に色のついた線２をいれて使用する時色のついた線２の方を上にして取り付け、はがす時に時に容易に取り外すことが出来ることを特徴とする。【選択図】図１
0003202673.tif 000002
【実用新案登録請求の範囲】
【請求項１】
両端の片側に色のついた線２を入れて使用する時、線の方を上に取り付けはがす時に容易に取り外すことが出来るラップ。
【考案の詳細な説明】
【考案の詳細な説明】
【技術分野】
【０００１】  本考案は、本体１の両端の片側に色のついた線２をいれて、使用する時に色のついた線を上側に取り付け、はがす時に容易に取り外すことが出来るようにしたものである。
【背景技術】
【０００２】  ラップをはがして取り外す時にラップに端が分かりにくく困難なことがありました。
【考案の概要】
【考案が解決しようとする課題】
【０００２】  ラップを使用する時、はがして取り外す時にラップの端が見えにくく困難なことがある。【０００３】  本体１の両端に片側に色のついた線２をいれて使用する時に色のついた線２の方を上に取り付け、はがす時に容易に取り外すことが出来るようにした。
【考案の効果】
【０００４】  このようにすればラップをはがす時に容易に取り外すことが出来る。
【図面の簡単な説明】
【０００５】
【図１】本体１の全体図
【図２】本体１の全体図
【考案を実施するための形態】
【０００６】  ラップの両端の片側に色のついた線２を入れて使用する時に容易に取り外すことができるようにする。
【符号の説明】１．本体
２．色のついた線
【図１】
0003202673.tif 000003
【図２】
0003202673.tif 000004